(57)【要約】【課題】金型の複雑化や組立作業の煩雑化を招くことなく、支持部材にアーム部材を回転自在に支持させることができるようにする。【解決手段】物干し装置１０は、支持部材２、アーム部材１を備えている。支持部材１は、背面を垂直面に当接させて固定される。支持部材２は、アーム部材１を挟んで対向する一対の支持面２１を備えている。支持面２１のそれぞれには、軸体６が突出して形成されている。アーム部材１の両面には、長手方向の端面の一方に沿って基端部１１から開放端部１２の間に凹部５が形成されている。凹部５には、軸体６を被覆する凸部４１がアーム部材１の厚さ方向に嵌入する。凸部４１は、連通部５１を経由して凹部５に出入り自在にされている。【選択図】  図１
2013039284.tif 000002
【特許請求の範囲】
【請求項１】
両端部に基端部と開放端部とを有する長尺の板状体であって物干し竿を保持する少なくとも１つの孔部を有するアーム部材と、
前記アーム部材を厚さ方向に挟むように対向する一対の支持面を備え、前記一対の支持面のそれぞれに軸体を突出して形成した支持部材と、を備え、
前記アーム部材は、両面に、前記基端部から前記開放端部に向かって長手方向に連続する凹部であって前記軸体が前記アーム部材の厚さ方向に嵌入する凹部が形成されており、
前記凹部の前記基端部側は、前記軸体との当接により、前記アーム部材の垂直面内での所定角度範囲の回転及び所定長さ範囲内の移動を許容する形状を呈し、
前記凹部の前記基端部を除く一部には、前記軸体が外部から通過する連通部を備えた物干し装置。
【請求項２】
前記アーム部材は、前記基端部の外周部に複数の段部を備え、
前記支持部材は、前記複数の段部のそれぞれとの当接によって前記アーム部材を複数の角度位置のそれぞれで保持する突起を備えた請求項１に記載の物干し装置。
【請求項３】
前記凹部内で前記軸体の前記開放端部側への移動を規制するストッパを前記アーム部材に着脱自在に備えた請求項１又は２に記載の物干し装置。
【発明の詳細な説明】
【技術分野】
【０００１】
この発明は、壁面や支柱等の垂直面に固定される支持部材に、物干し竿を保持するアーム部材を垂直面内で所定の角度範囲で回転自在に支持させた物干し装置に関する。
【背景技術】
【０００２】
洗濯物の乾燥に用いられる物干し竿を保持する物干し装置として、支持部材とアーム部材とを備えたものがある。支持部材を壁面や支柱等の垂直面に固定し、この支持部材に対してアーム部材をその基端部を中心に垂直面内で回転自在に支持させる。
【０００３】
物干し竿を保持するアーム部材は、例えば、水平状態、斜め上方に傾斜した状態、斜め下方に傾斜した状態及び垂直状態のそれぞれの位置で選択的に固定できるようにされている。水平状態、斜め上方に傾斜した状態又は斜め下方に傾斜した状態のアーム部材に物干し竿を保持させる。また、アーム部材を垂直状態とすることで、不使用時に小型に収納できる。
【０００４】
アームの基端部を支持部材に回転自在に支持させる構成として、アームの基端部及び支持部材に孔部を形成し、これらの孔部に軸体を貫通させることが考えられる。
【０００５】
また、支持部材及びアーム部材とは物部材の軸体を不要にすべく、支持部材の凹部にアーム部材に形成した軸体を嵌入させるようにしたものもある（例えば、特許文献１参照。）。支持部材においてアーム部材の基端部を挟んで対向する２面に背面側に開放した凹部を形成し、支持部材の背面の開口部から対向する２面の間にアーム部材を挿入する。この構成により、部品点数を削減してコストダウンを実現できるとされている。
【先行技術文献】
【特許文献】
【０００６】
【特許文献１】特開２００８−２７２３５４号公報
【発明の概要】
【発明が解決しようとする課題】
【０００７】
しかし、支持部材においてアーム部材の基端部を挟んで互いに対向する２面に凹部を形成するためには、金型の構成が複雑になってコストの上昇を招く問題がある。また、金型の簡略化のために支持部材を２分割に構成すると、組立作業の煩雑化を招く。
【０００８】
この発明の目的は、金型の複雑化や組立作業の煩雑化を招くことなく、支持部材にアーム部材を回転自在に支持させることができる物干し装置を提供することにある。
【課題を解決するための手段】
【０００９】
この発明の物干し装置は、支持部材、アーム部材を備えている。支持部材は、背面を垂直面に当接させて固定される。アーム部材は、両端部に基端部と開放端部とを有する長尺の板状体であって物干し竿を保持する少なくとも１つの孔部を有している。支持部材は、アーム部材を厚さ方向に挟むように対向する一対の支持面を備え、一対の支持面のそれぞれには軸体が突出して形成されている。アーム部材の両面には、基端部から開放端部に向かって長手方向に連続する凹部であって軸体がアーム部材の厚さ方向に嵌入する凹部が形成されている。凹部の基端部側は、軸体との当接により、アーム部材の垂直面内での所定角度範囲の回転及び所定長さ範囲内の移動を許容する形状を呈している。凹部の基端部を除く一部には、軸体が外部から通過する連通部を備えている。支持部材は、アーム部材の基端部に設けられた複数のノッチとの当接によってアーム部材を複数の角度位置で保持する突起を備えている。
【００１０】
この構成により、支持部材において互いに対向する２面に形成された軸体をアーム部材の凹部に連通部から進入させることで、支持部材に対してアーム部材が長手方向に移動自在かつ基端部側で回転自在に支持される。支持部材の対向する２面に凹部を形成する必要がなく、支持部材を２分割に形成する必要もない。
【００１１】
この構成において、アーム部材の基端部の外周部に複数の段部を備え、支持部材に複数の段部のそれぞれとの当接によってアーム部材を複数の角度位置で保持する突起を備えることが好ましい。アーム部材を複数の角度の何れかに保持することができる。
【００１２】
また、連通部を凹部の開放端部側に形成し、連通部よりも基端部側で凹部における軸体の開放端部側への移動を規制するストッパを着脱自在に備えることが好ましい。支持部材に対するアーム部材の支持状態を確実に維持することができる。
【発明の効果】
【００１３】
この発明によれば、支持部材においてアーム部材を挟んで対向する２面に凹部を形成する必要がなく、金型の複雑化や組立作業の煩雑化を招くことなく、支持部材に対してアーム部材を長手方向に移動自在かつ基端部側で回転自在にすることができる。
【図面の簡単な説明】
【００１４】
【図１】この発明の実施形態に係る物干し装置の組立図である。
【図２】（Ａ）〜（Ｃ）は、同物干し装置の組立方法を示す側面図である。
【図３】（Ａ）〜（Ｃ）は、同物干し装置の使用状態を示す側面図である。
【図４】この発明の別の実施形態に係る物干し装置の側面図である。
【発明を実施するための形態】
【００１５】
図１に示すように、この発明の実施形態に係る物干し装置１０は、アーム部材１、支持部材２を備えている。
【００１６】
支持部材２は、略コの字形端面形状を呈し、背面を建物の壁面や支柱の側面等の垂直面に接触させた状態で図示しないネジを介して固定される。支持部材２においてアーム部材２の基端部２１を挟んで互いに対向する２面である支持面２１には、軸体６が突出して形成されている。軸体６は支持面２１の内側面に突出しているため、支持部材２を背面側部材及び前面側部材の２つの金型で容易に形成することができる。支持面２１には、軸体６が嵌入する凸部４１が形成されたスペーサ４が装着される。
【００１７】
アーム部材１は、両端部のそれぞれを基端部１１及び開放端部１２とした長尺の板状体を呈し、一例として５箇所に孔部１３が形成されている。孔部１３は、図示しない物干し竿の端部を貫通させて物干し竿を保持する。アーム部材１の両面には、長手方向の端面の一方に沿って基端部１１から開放端部１２の間に凹部５が形成されている。凹部５には、軸体６を被覆する凸部４１がアーム部材１の厚さ方向に嵌入する。凹部５の基端部１１側は、軸体６を被覆した凸部４１との当接により、アーム部材１の垂直面内での所定角度範囲の回転及び所定長さ範囲内の移動を許容する形状を呈している。凹部５は、開放端部１２側の一部に形成された連通部５１において外部に開放している。凸部４１は、連通部５１を経由して凹部５に出入り自在にされている。
【００１８】
凹部５における連通部５１よりも基端部１１側の少なくとも１箇所には、ネジ３１が貫通する貫通孔５２が形成されている。ネジ３１は、ナット３２との螺合により、凹部５内にストッパ３を固定する。
【００１９】
支持部材２にアーム部材１を取り付ける際には、図２（Ａ）に示すように、アーム部材１を、凹部５が形成されている側の端部が建物の壁面や支柱の側面等に固定された支持部材２に対向するように、垂直に位置させる。次いで、図２（Ｂ）に示すように、連通部５１を経由して凸部４１を凹部５内に挿入する。この後、図２（Ｃ）に示すように、アーム部材１を上方に移動させ、凸部４１を凹部５内で基端部１１側に移動させた後、ストッパ３を凹部５内に固定する。凸部４１は、ストッパ３との当接により、凹部５内でストッパ３の固定位置よりも開放端部１２側に移動することができず、支持部材２によるアーム部材１の支持が維持される。
【００２０】
図３（Ａ）〜（Ｃ）に示すように、支持部材２の背面には突起２２が形成されており、アーム部材１の基端部１１には段部１４，１５が形成されている。図３（Ａ）に示すように、段部１４を突起２２に係合させることにより、アーム部材１が水平状態に保持される。図３（Ｂ）に示すように、段部１５を突起２２に係合させることにより、アーム部材１が開放端部１２を基端部１１よりも上方にして略４０度に傾斜した傾斜状態に保持される。
【００２１】
アーム部材１を図３（Ａ）に示す水平状態又は図３（Ｂ）に示す傾斜状態にすることにより、孔部１３の何れかに物干し竿の端部を貫通させて洗濯物を干すことができる。
【００２２】
図３（Ｃ）に示すように、段部１４，１５の何れにも突起２２を係合させずに凸部４１を凹部５内でストッパ３に当接する位置まで移動させることで、アーム部材１が垂直状態に保持される。
【００２３】
物干し装置１０では、アーム部材１を支持部材２の前面側から支持部材２に取り付けることができるため、支持部材２に対するアーム部材１の取付作業を、支持部材２を建物の壁面や支柱の側面等の垂直面に取り付けた後に行うことができる。
【００２４】
なお、アーム部材１を常時水平状態又は傾斜状態にして支持部材２に固定する機構を備え、支持部材２からアーム部材１を取り外す際にのみアーム部材１を垂直状態とする場合には、図４に示すように、連通部５１を凹部５における基端部１１側に設けてもよい。
【００２５】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００２６】
１−アーム部材
２−支持部材
５−凹部
６−軸体
１０−物干し装置
１１−基端部
１２−開放端部
２１−支持面
１２−軸体
５１−連通部
【図１】
2013039284.tif 000003
【図２】
2013039284.tif 000004
【図３】
2013039284.tif 000005
【図４】
2013039284.tif 000006